(57)【要約】【課題】  ラベル付けを行うのに有利なコンパクトディスク及びその製造方法を提供する。【解決手段】  コンパクトディスク１００は、データ面１０１と、ラベル面１１０と、このラベル面１１０を表す媒体制御特徴１３０とを備える。媒体制御特徴１３０は、データ面１０１がコンパクトディスクドライブ１２０の光ピックアップ１２１に向いているときに、コンパクトディスクドライブ１２０によって読取り可能とする。【選択図】        図３
2005196957.tif 000002
【特許請求の範囲】
【請求項１】
データ面と、
ラベル面と、
前記ラベル面を表す媒体制御特徴と、
を備え、
前記媒体制御特徴は、前記データ面がコンパクトディスクドライブの光ピックアップに向いているときに、前記コンパクトディスクドライブによって読取り可能であること、
を特徴とするコンパクトディスク。
【請求項２】
前記媒体制御特徴は、前記光ピックアップに前記データ面が向いているか前記ラベル面が向いているかに関係なく、前記コンパクトディスクドライブによって読取り可能であることを特徴とする請求項１に記載のコンパクトディスク。
【請求項３】
前記コンパクトディスクの中心穴を取り囲むカラー部をさらに備えることを特徴とする請求項１に記載のコンパクトディスク。
【請求項４】
前記媒体制御特徴は、前記カラー部上に配置されることを特徴とする請求項３に記載のコンパクトディスク。
【請求項５】
コンパクトディスクを作成する方法であって、
データ面を形成するステップと、
ラベル面を形成するステップと、
前記ラベル面を表す媒体制御特徴を形成するステップと、
を含み、
前記媒体制御特徴は、前記データ面がコンパクトディスクドライブの光ピックアップに向いているときに、前記コンパクトディスクドライブによって読取り可能なように形成されること、
を特徴とする方法。
【請求項６】
コンパクトディスクドライブであって、
コンパクトディスクからデータを読み出して前記コンパクトディスクにデータを書き込む、並びに、前記コンパクトディスク上の媒体制御特徴を読み取る、光ピックアップを備え、
前記コンパクトディスクのデータ面が前記コンパクトディスクドライブの前記光ピックアップに向いているときに読取り可能な、前記コンパクトディスク上の媒体制御特徴を、自動的に読み取るよう構成されていること、
を特徴とするコンパクトディスクドライブ。
【請求項７】
コンパクトディスクドライブを動作する方法であって、
コンパクトディスクのデータ面が前記コンパクトディスクドライブの光ピックアップに向いているときに読取り可能な、前記コンパクトディスク上の媒体制御特徴を、自動的に読み取るステップ、
を含むことを特徴とする方法。
【請求項８】
コンパクトディスクドライブを動作する方法であって、
前記コンパクトディスクドライブの光ピックアップにコンパクトディスクのデータ面が向いているか前記コンパクトディスクのラベル面が向いているかに関係なく、前記コンパクトディスク上の媒体制御特徴を自動的に読み取るステップ、
を含むことを特徴とする方法。
【請求項９】
コンパクトディスクドライブを制御するソフトウェアであって、前記ソフトウェアは、コンピュータ可読命令を記憶する媒体上に記憶され、プロセッサによって実行されると前記プロセッサに前記コンパクトディスクドライブへの照会をなさしめ、それによって、前記コンパクトディスクドライブ内のコンパクトディスクに前記コンパクトディスクドライブによってラベル付けをすることができるかどうかを判定し、前記照会は、前記コンパクトディスクのラベル面が前記コンパクトディスクドライブの光ピックアップに向けられる前に行われることを特徴とするソフトウェア。
【請求項１０】
コンパクトディスクドライブを制御する方法であって、前記コンパクトディスクドライブ内のコンパクトディスクに前記コンパクトディスクドライブによってラベル付けをすることができるかどうかを判定するために前記コンパクトディスクドライブに照会するステップを含み、前記照会するステップは、前記コンパクトディスクのラベル面が前記コンパクトディスクドライブの光ピックアップに向けられる前に行われることを特徴とする方法。
【発明の詳細な説明】
【技術分野】
【０００１】
本発明は、コンパクトディスク及びその製造方法、並びに、コンパクトディスクドライブ及びそれを動作する方法、それを制御するソフトウェア、及びそれを制御する方法に関する。
【背景技術】
【０００２】
コンパクトディスク（ＣＤ）は、大量のデータを容易に記憶し、そのデータをコンピュータとその他の電子デバイスとの間で転送する一手段である。コンパクトディスクは、当初においては音楽を格納するために開発されたが、例えば、ソフトウェア，コンピュータアプリケーション，コンピュータファイル，音声録音，映像録画など、いかなる種類のデータもその上に記憶することができるデバイスになった。コンパクトディスクは、数百メガバイトのデータを保持することができる。従って、コンパクトディスクは、データをその上でアーカイブしたり、１つのコンピュータ又はデバイスから他のものへ転送することができる、非常に便利なデバイスである。
【０００３】
コンパクトディスクは、データをデジタルで記憶する。外縁から中心までスパイラルトラックでディスクをぐるりと移動して、ディスクの光学特性を変えることによって、ディスク上にデータビットが記憶される。データは、ディスクから、精確に焦点を合わせたレーザで読み出される。レーザは、ディスクの、非常に小さく、かつ、スパイラルトラックに沿って配置された連続する各部分によって反射するか散乱するかのどちらかである。このようなレーザの選択的反射又は非反射によって、ディスク上に記憶されたデータビットが伝達される。
【０００４】
従って、コンパクトディスクにデータを書き込むために、高強度のレーザを用いてディスクの非常に小さな各部分を「焼く」、すなわち、その光学特性を変えて、そのような各部分が、記憶するデータビットを表すパターンで反射性又は非反射性になるようにする。現在において、大部分のコンピュータは、コンパクトディスクにデータを書き込むことと、そこからデータを読み出すことの両方を行うことができるコンパクトディスクドライブを搭載して販売されている。
【発明の開示】
【発明が解決しようとする課題】
【０００５】
本発明の主目的は、ラベル付けを行うのに有利なコンパクトディスク及びその製造方法を提供することにある。
【課題を解決するための手段】
【０００６】
このような目的のため、本発明の一実施形態では、コンパクトディスクは、データ面と、ラベル面と、このラベル面を表す媒体制御特徴とを備え、媒体制御特徴は、データ面がコンパクトディスクドライブの光ピックアップに向いているときに、コンパクトディスクドライブによって読取り可能であるようにしている。
また、本発明の他の実施形態では、媒体制御特徴は、前記光ピックアップに前記データ面が向いているか前記ラベル面が向いているかに関係なく、前記コンパクトディスクドライブによって読取り可能であるようにしている。
【発明を実施するための最良の形態】
【０００７】
添付図面は、本発明の様々な実施形態を図示し、本明細書の一部である。説明する実施形態は、単に本発明の例であり、本発明の範囲を限定するものではない。
【０００８】
図面全体を通して、同じ参照番号は、同様であるが、必ずしも同一ではない要素を示す。
【０００９】
本明細書において説明するように、ディスクのラベル面上にラベルを描くことができるかどうかを示す媒体制御特徴（media control feature）が、ディスクのデータ面から、又はディスクのどちらの面からも読み取られるように、コンパクトディスク上に形成される。そのような媒体制御特徴は、例えば、コンパクトディスクのカラー部（collar）上に配置してもよい。このようにして、ディスクドライブにディスクを挿入する時にディスクのどちらの面が提示されているかに関係なく、ディスクドライブが媒体制御特徴を読み取ることができる。
【００１０】
上述のように、コンパクトディスクは、数百メガバイトのデータを保持することができる。従ってコンパクトディスクは、データをその上でアーカイブしたり、１つのコンピュータ又はデバイスから他のものへ転送することができる、非常に便利なデバイスである。コンパクトディスク上には大量のデータ及び多種類のデータを記憶することができるので、ディスク上に記録されているデータが何であるか及びどんな種類であるかを示すラベルがディスクに付いていれば、非常に役立つ。さらに、ディスク自体の上にラベルを直接作成することができれば、そのラベル付け（labeling）が常にそのディスクと一緒であることをユーザに対して保証することができる。
【００１１】
最近、コンパクトディスクからデータを読出し、かつ、そこにデータを書き込むのに用いるのと同じレーザが、ディスクのもう片方の面上にラベルを描くこともできるようにするシステムが開発された。そのようなラベルは、テキスト要素とグラフィック要素の両方を含んでもよく、ユーザは、いかなる様々な個人の又は業務の用途にも、ディスクに適切にラベル付けをすることができる。さらに、インクジェットプリンタ又は熱転写プリンタ等、ディスクのラベル表面上に直接ラベルを作成するのに用いることができる、別個のプリント装置がある。
【００１２】
図１ａに示すように、コンパクトディスク１００は、データ面(data-bearing side)１０１を含む。上述のように、このデータ面１０１は、反射性又は非反射性のどちらかであるように十分な強度のレーザによって変更され得る光学特性を有する。従って、反射性及び非反射性のスポットでできたパターンを、ディスク１００の中心部から外縁までのスパイラルトラック上に書き込むことができる。それ以後においては、低強度で動作される同一のレーザが、反射性及び非反射性のスポットでできたこのパターンを読み出すのに用いられて、ディスク１００上に記憶されているデータが取り出される。
【００１３】
ディスク１００の中心には、丸い穴すなわちクランプ穴１０３がある。データの書込み又は読出しのためにディスク１００をディスクドライブ内に配置すると、ディスク１００は、ドライブ内でクランプによって保持される。このクランプは、穴１０３を貫いて延び、穴１０３の周囲に力を及ぼす。次に、このクランプは、ディスク１００を回転させるために使用され、読出し／書込みレーザを含む光ピックアップが、ディスク１００の上で半径方向に移動され得ると共に、そのようにして自らの直線運動とディスク１００の回転とによってディスク１００の全ての部分にアクセスし得る。
【００１４】
中心穴１０３は、通常、プラスチックのカラー部１０２に取り囲まれている。このカラー部１０２は、通常、クリアすなわち透明なポリカーボネートで作成されている。カラー部１０２は、中心穴１０３をディスク１００のデータ面１０１から分離している。
【００１５】
図１ｂは、同じコンパクトディスク１００の反対側の面１１０を示す。図１ｂに示すように、ディスク１００の反対側の面は、ラベル面１１０である。ディスク１００のラベルは、テキスト要素とグラフィック要素とのいかなる組合せを含んでもよい。
【００１６】
上述のように、新しいコンパクトディスク（ＣＤ）１００には、ディスク１００のデータ面１０１にデータを書き込むこと、及び、そこからデータを読み出すことの両方を行う光ピックアップを用いて作成することができるラベル面１１０を提供するものもある。これは、ディスク１００のラベル面１１０上に、光及び／又は熱に反応して外観又は色が変化するようになっている材料又は複数層（layers）の材料を設けることによって行われる。従って、ＣＤドライブにおける光ピックアップのレーザを用いて、ディスク１００のラベル面１１０上の材料の色又は外観を選択的に変えて、ディスク１００上に所望のラベルを描く又は作成するようにすることができる。
【００１７】
さらに、ディスクには、インクジェットプリンタ又は熱転写プリンタ等、別個のプリント装置を用いてその上にラベルをプリントすることができるラベル面を有し得るものがある。これは、ディスク１００のラベル面１１０上に、意図するプリント方法に適合した材料又は複数層の材料を設けることによって行われる。ディスクは、プリント装置を通って供給され、ディスクのラベル面上にラベルがプリントされる。
【００１８】
本明細書において、「データ面」という用語は、その時にコンパクトディスク上に何らかのデータが記録されているか否かにかかわらず、その上にデータが記憶されるディスクの面を指すのに用いる。ディスクの反対側の面は、何らかのラベルがその上に形成されているか否かにかかわらず、「ラベル面」と呼ぶ。
【００１９】
図２は、光ピックアップ１２１を含むコンパクトディスクドライブ（ＣＤドライブ）１２０とともにディスク１００を示す。上述のように、ディスク１００は、ラベル面かデータ面のどちらかが光ピックアップ１２１に面した状態で、ドライブ１２０に挿入することができる。データを読み出す又は記録するには、データ面が光ピックアップ１２１に向いている（presented）状態で、ディスク１００をディスクドライブ１２０に挿入する。次に、上述のように、光ピックアップ１２１のレーザを用いて、ディスク１００にデータを書き込む又はそこからデータを読み出すことができる。
【００２０】
光ピックアップ１２１によってラベル付けをすることができるディスク１００について、ディスク上にラベルを作成することが所望される場合には、ラベル面が光ピックアップ１２１に向いている状態で、そのディスク１００をディスクドライブ１２０に挿入する。次に、光ピックアップ１２１のレーザを用いて、ディスク１００のラベル面１１０を十分な強度のレーザに選択的に曝して、ディスク１００のその面の様々な部分の色又は外観を変更するようにすることによって、ディスク１００上に所望のラベルを作成する又は描くことができる。さらに、プリント装置によってその上にプリントすることができるディスク１００について、ディスク上にラベルを作成することが所望される場合には、ラベル面１１０がプリント装置に向いている状態で、そのディスク１００をプリント装置に挿入する。
【００２１】
通常、ユーザは、ディスク１００のデータ面１０１が光ピックアップ１２１に向いている状態でディスク１００をディスクドライブ１２０に挿入する。次に、ユーザは、ディスク１００上にどのようなデータを記憶するか決定し、その時にのみ、ディスク１００にどのようにラベル付けをするかについて考える。しかし、全てのコンパクトディスクがデータ面とラベル面の両方を有しているわけではない。従来のコンパクトディスクは、光ピックアップ１２１で書き込めるラベル面は含んでおらず、もしラベル付けをするとしても、通常、ディスク上に、又は、ディスクを保管する場合には挿入物（insert）上に、ラベルを手書きする又は描くことによってラベル付けをする。従って、データ面が光ピックアップ１２１に向いている状態でディスクをディスクドライブ１２０に挿入し、ラベル付けをすることができるということを示す制御特徴（control feature；制御標識若しくは制御マーク）が存在しない場合には、光ピックアップ又はプリンタでディスクのもう片方の面にラベル付けをすることができるかどうかをディスクドライブ１２０が認識することはない。
【００２２】
光ピックアップ１２１によってラベル付けをすることができるディスクについては、ディスクのラベル面に光ピックアップ１２１によってラベル付けをすることができるか、及び、どのようにラベル付けをすることができるかをディスクドライブ１２０に通知するために、光ピックアップ１２１によって読み出すことができるマーキングを、ディスクの製造者がそのディスク上に設けることができる。さらに、ディスクのラベル面上にプリント装置によってプリントすることができる場合には、そのようなマーキングは、ディスクのラベル面にプリントすることができるか、及び、どのようにプリントすることができるかを示してもよい。媒体制御特徴として知られているこのようなマーキングは、ラベル表面上にスクリーン印刷又はオフセット印刷してもよく、ディスクにエンボス加工（浮出し印刷、embossed）してもよい。媒体制御特徴は、光ピックアップによって読み取ることに加えて、光センサ，バーコードスキャナ，又はその他のスキャン／感知装置等、ディスクドライブ１２０内に取り付けられその一部である他のセンサ１２２で読み取るよう設計されていてもよい。
【００２３】
しかし、ラベル面ではなくデータ面が光ピックアップ１２１に向いている状態でディスクをディスクドライブ１２０に挿入する場合には、ディスクの反対側のラベル面に、光ピックアップ１２１によってラベル付けをすることができるか、又は、プリント装置でその上にプリントすることができるかを、ディスクドライブ１２０が判定することができないことがある。従って、ディスクにデータを記憶するプロセス及びそのディスクにラベル付けをするプロセスは、通常、ディスク１００にデータを書き込むステップと、そのディスク１００にラベルをデザインする及び／又は書き込むステップとの間において、ディスク１００をディスクドライブ１２０から取り出し、そして裏返して再びディスクドライブ１２０に挿入するステップと共に、連続して行われる。
【００２４】
ディスクにデータを書き込むには、ディスクに書き込まれているデータの量に依存していくらかの時間が必要な場合があるので、ディスクへのデータ書込み中にディスクの反対側の面のラベルのデザイン又は選択を開始できれば効率的である。しかし、従来のディスクは、ディスクを裏返すまで、又は、ユーザが情報を手作業で入力するまで、ラベルをピックアップ１２１によってディスクに書き込むことができるか、又は、プリント装置でプリントすることができるかを、ディスクドライブ１２０が判定することができない。従って、通常、全てのデータがディスクに書き込まれるまで、適切なソフトウェアでのラベルのデザイン又は選択は開始しない。
【００２５】
本明細書は、ディスクのラベル面上にラベルを描くことができるかどうかを示す媒体制御特徴（制御標識）を記述しており、この媒体制御特徴は、ディスクのどちらの面（データ面及びラベル面）からも読み取られるようコンパクトディスク上に形成される。このような媒体制御特徴は、例えばコンパクトディスクのカラー部に配置してもよい。このようにしてディスクドライブは、ディスクドライブにディスクを挿入する時にディスクのどちらの面が提示されているかに関係なく、媒体制御特徴を読み取ることができるようになっている。従って、データが未だディスクのデータ面に書き込まれている間であっても、システムは、ユーザにディスクのラベルのデザイン又は選択を開始するよう自動的に促すことができ、ラベル付けすべきディスクに最適化された作成ワークスペース（creation  workspace）又はテンプレートを提供することができる。さらに、ラベル表面にデータを書き込む前に、ラベル表面が媒体制御特徴読取装置に向いている状態でディスクをドライブに入れると、データ書込みプロセスに関してユーザにとって価値のある情報を得ることができる。
【００２６】
図３は、本明細書において開示するコンパクトディスク１００の中心部を示している。図３に示すように、中心穴１０３とデータ面１０１との間の、ディスク１００のカラー部１０２は、媒体制御特徴（特徴）１３０を含んでいてよい。このような特性１３０は、例えば、ディスク１００のカラー部１０２上にエンボス加工してもよい。又は、このような特性１３０は、カラー部１０２上にプリント又はその他の方法で形成してもよい。上述のように、媒体制御特徴１３０は、ディスクドライブの光ピックアップ又はその他の読取装置若しくはセンサによって読み取って、ディスクのもう片方の面上にラベルを光ピックアップによって書き込む又はプリント装置によってプリントすることができるかどうか及びどのようにそうすることができるかを示す情報を、ディスクドライブに提供することができる。
【００２７】
ディスクドライブ内でディスクのどちらの面が提示されているかに関係なく媒体制御特徴１３０を読取り可能な場合には、そのディスク及びそのディスクにラベル付けをすることができることに関する情報は、ディスクを最初にディスクドライブ内に配置すると直ぐに利用できる。カラー部１０２は、通常、透明なので、ディスク１００のディスクドライブ挿入時にどちらの面が上であるかに関係なく、カラー部１０２上の媒体制御特徴１３０を読取り可能にすることができる。
【００２８】
この点に関して、いくつかの可能な配置がある。例えば、媒体制御特徴は、どちらの面からも読取り可能なように、ディスクにエンボス加工してもよい。そのような場合には、一方の表面からのデータは、他方から読み出すストリームに一致するよう転置（transpose）される。或いは、媒体制御特徴は、一方はデータ面から読取り可能でありかつ他方はラベル面から読取り可能であるディスクにおける２つの場所にエンボス加工してもよい。そのような場合には、両方の特徴は、どちらの面からも正確に読み取られるよう同一であってもよく、或いは、一方の表面上では転置されてもよい。或いは、媒体制御特徴は、どちらの面からも読取り可能なように、ディスク上にプリントしてもよい。そのような場合には、一方の表面からのデータは、他方から読み出すストリームに一致するよう転置される。或いは、特性は、ディスクの両面上にプリントしてもよい。そのような場合には、両特性は、どちらの面からも正確に読み取られるよう同一であってもよく、或いは、一方の表面上では転置されてもよい。
【００２９】
代替として、媒体制御特徴は、ディスクの一方の面からのみ読取り可能であってもよい。例えば、媒体制御特徴は、ディスク１００のカラー部１０２上ではなくてディスク１００のデータ面上に配置して、カラー部１０２が透明かどうかに関係なく、ディスクのデータ面がディスクドライブの光ピックアップに向いている場合に読み取られるようになっていてもよい。或いは、媒体制御特徴は、ディスクのデータ面上のどこか他の場所に配置してもよい。媒体制御特徴とディスクのデータ面とに同時にアクセス可能な場合には、ディスク上へのデータの記録とディスクのラベルのデザインとは、順次行うのではなく、ある程度並行して行うことができる。
【００３０】
ディスクのデータ面がディスクドライブ内に提示されると同時に媒体制御特徴１３０がディスクドライブによって読取り可能である場合には、ディスクドライブは、ディスクを裏返すまでに、そのディスクにディスクドライブの光ピックアップによって又はプリント装置によってラベル付けをすることができるかどうかを判定することができる。従って、そのディスクのラベルのデザイン又は選択を開始するようユーザを促すことができ、ラベルのデザインプロセスを最適化するのに役立つ情報をユーザに提供することができる。例えば、ディスクドライブがディスクのデータ面にデータを書き込んでいる間に、そのディスクのラベルをデザイン又は選択するようユーザを促すことができる。
【００３１】
例えば、ディスクにデータを書き込む前に、ディスクドライブ内でディスクのラベル面がまず提示される場合、並びに、ディスクドライブ内でディスクのラベル面が提示されると同時に、媒体制御特徴１３０がディスクドライブによって読取り可能な場合には、ディスクドライブは、そのディスクにディスクドライブの光ピックアップによって又はプリント装置によってラベル付けをすることができるかどうかを判定することができ、かつ、行ないことができるデータ書込みのタイプを決めることができる。従って、ユーザは、ディスクのタイプ又は容量を識別することができ、それがデータ書込みプロセスを最適化するのに役立つ。例えば、ユーザは、データ面を提示するよう強制されてタイプ及び容量を判定するのではなく、ディスクのラベル面の提示中にディスクが容量４０ＭＢのＣＤ−Ｒの名刺ディスクであるということを判定することができる。
【００３２】
図４は、コンパクトディスクドライブ１４３を含むコンピュータシステム１４０を示している。ディスクドライブ１４３を用いて、コンパクトディスク１００にデータを書き込み、かつ、そこからデータを読み出すことができる。ディスク１００が、上述のようにディスクドライブによってその上に描くよう構成されたラベル面を有する場合には、このディスクドライブ１４３は、また、ディスク１００のラベル面上にラベルを書き込むのにも用いてよい。或いは、ディスク１００が、その上にプリントすることができるラベル面を有する場合には、ディスク１００は、プリンタ１４４を通って動いて、所望のラベルを受け取ってもよい。プリンタ１４４は、ディスク１００上に所望のラベルをプリントするようにコンピュータ１４０によって制御され、例えば、インクジェットプリンタ，熱転写プリンタ，又はその他のプリント装置であってもよい。
【００３３】
コンピュータ１４０には、ディスクドライブ１４３又はプリンタ１４４を制御することによってディスク１００にデータを書き込むための、及び、ディスク１００上にラベルを描く又はプリントするためのソフトウェア１４１がインストールされている。このような機能は、単一のソフトウェア１４１内で組み合わされてもよく、２つ以上の別個の互いに独立したソフトウェアで提供してもよく、２つ以上の別個の互いに協働するソフトウェアで提供してもよい。図４に示すように、このソフトウェア１４１は、コンピュータ１４０上にインストールされている。これは、例えばコンピュータ１４０のハードドライブ上に、コンピュータ１４０が実行可能な形式でこのソフトウェアを記憶することを含む。或いは、ソフトウェア１４１は、インストールしない状態で、コンパクトディスク等のような、コンピュータ可読命令を記憶する何らかの媒体上に記憶してもよい。
【００３４】
本明細書において説明するように、ディスク１００は、コンピュータ１４０のディスクドライブ１４３に挿入され得る。次に、ユーザは、ソフトウェア１４１を動作して、ディスク１００にどのようなデータを書き込むかを決定することができる。このデータは、いかなる種類のデータ，コンピュータファイル，ソフトウェア，音声，映像等であってもよい。ソフトウェア１４１のユーザインターフェース１４２によって、ユーザは、ディスク１００上に記憶するデータを選択することができる。選択が完了すると、ソフトウェア１４１は、選択された量のデータをディスク１００に書き込むようディスクドライブ１４３を制御する。
【００３５】
ディスクドライブ１４３又はプリンタ１４４によってディスク１００上にラベルを書き込むことができる場合には、ユーザは、また、ソフトウェア１４１を用いて、そのディスクのラベルのデザイン又は選択も行う。ディスク１００のデータ面が提示されている間にディスク１００の媒体制御特徴１３０（図３参照）が読取り可能なので、ユーザインターフェース１４２を介して、ドライブ１４３又はプリンタ１４４によってディスクにラベル付けをすることができるという指示をユーザに与えることができる。従って、ユーザは、ディスク１００のデータを選択すると直ぐに、そしてそのデータがディスク１００に書き込まれている間に、ディスク１００のラベルのデザインを開始することができる。実際には、選択したデータをディスクドライブ１４３がディスク１００に書き込むのを開始すると直ぐに、ユーザインターフェース１４２は、ディスクのラベルをデザイン又は選択するようユーザを促してもよい。或いは、ユーザは、ディスクに書き込むデータを選択する前であっても、ディスクのラベルをデザインすることができる。さらに、ソフトウェア１４１は、例えば、ディスク識別パラメータ，ユーザの好み等に基づいて、ユーザがそこからディスクのラベルを選択することができる又は自動的に生成することができる、いくつかの予めデザインしたラベルを有してもよい。
【００３６】
図５は、本明細書において説明する原理の下でコンパクトディスクドライブを動作するための一方法を示すフローチャートである。図５に示すように、コンパクトディスクをドライブに挿入する（ステップ１５０参照）。次に、ディスクドライブは、ディスク上の媒体制御特徴を自動的に調べる（ステップ１５１参照）。いくつかの実施形態においては、媒体制御特徴は、ドライブ内でディスクのどちらの面が提示されているかに関係なく読取り可能なように、ディスク上に配置されている。他の実施形態においては、媒体制御特徴は、ディスクの、データ面と同じ面に配置されて、データ面がディスクドライブに向いているときに読取り可能になっていてもよい。いくつかの実施形態においては、媒体制御特徴は、ディスクのカラー部上に配置される。
【００３７】
媒体制御特徴が見つからない場合には（判断１５２参照）、このディスクは、ディスクドライブの光ピックアップによる又は別個のプリント装置によるラベル付けをサポートしていない（ステップ１５３参照）。従って、このディスクには、このシステムによってデータをロードすることはできるがラベル付けをすることはできず、ディスクのラベルのデザインに費やされる時間はない。むしろ、このディスクには、マーカーでラベル付けをすることができ、又は粘着ラベルを貼ることができる。ディスクが媒体制御特徴を有さない場合には（判断１５２参照）、この事実は、ディスクドライブによって認識されることになり、キャッシュされてもよく、或いは直ちに報告されてもよい。
【００３８】
ディスクが媒体制御特徴を有する場合には、ディスクドライブは、次に、そのディスク上にデータを記憶するために、及び／又は、そのディスクのラベルを作成するために用いられる、そのディスクに特有の様々なディスク識別パラメータを読み取る又は求めてもよい（ステップ１５４参照）。このようなディスク識別パラメータのうちのいくつかは、通常、ディスクのデータ面を読み出すことによって求めることができ、ディスク識別パラメータのうちのいくつか又は全ては、媒体制御特徴内に含まれていてもよい。例えば、そのようなディスク識別パラメータには、ディスクのタイプ（ＣＤ−Ｒ，ＣＤ−ＲＷ，ＤＶＤ＋Ｒ，ＤＶＤ＋ＲＷ，ＣＤ−ＲＯＭ，ＤＶＤ−ＲＯＭ等），ディスクの容量，サイズと形状の両方を示すディスクの寸法値，正確な画像処理に用いるラベルプリント特性の指示が含まれてもよい。通常のプリンタと同様に、このようなディスクは、様々なコーティングを有し、その結果としてプリント性能が様々になる可能性がある。様々な紙のタイプ（普通紙、写真印画紙、等）に最適化したプリント設定があるのと同様に、ラベルの背景とマーキングとの色（プリントのプレビュー機能用に），用いる速度及びレーザ書込み／読出し出力の仕様及び範囲（limits），ラベル付けに用いるレーザのタイプ，並びにあらゆるプリント不能な又は予めプリントした区域のサイズ，形状，色，及び記述子等、様々なディスク基板に最適化したプリント設定があってもよい。このようなパラメータは、次に、ディスクドライブがキャッシュ又は報告してよい（ステップ１５５参照）。ディスクドライブは、現時点では、ディスクにデータを書き込みディスクにラベル付けをするソフトウェアがディスク作成プロセスを通じてユーザをガイドするのを支援する準備ができている。
【００３９】
図６は、図４のソフトウェア１４１を動作する方法を示すものであり、そのソフトウェアを文書化したフローチャートとみなしてもよい。図６に示すように、ソフトウェアはディスクドライブに照会して（ステップ１６０参照）、挿入したディスクが、ディスクドライブの光ピックアップによる又は別個のプリンタによるラベル付けをサポートしているかどうかを判定してもよい。この事実は、図５を参照して上述したディスク上の媒体制御特徴の読み取りによって、ディスクドライブが判定する。これに代えて、ディスクドライブは、ソフトウェアからの照会なしに、ディスクにラベル付けをすることができることについて自動的に報告してもよい。
【００４０】
ディスクがラベル付けをサポートしていない場合には（判断１６１参照）、そのディスクにデータは書き込めるが、ラベルは形成されない（ステップ１６６参照）。しかし、ディスクがラベル付けをサポートしている場合には（判断１６１参照）、ソフトウェアは、次に、ディスクのサイズ等、ラベルの描画方法を決定するのに役立つ識別パラメータについてディスクドライブに照会する（ステップ１６２参照）。次に、ソフトウェアは、ラベルを作成又は選択するようユーザを促してもよい（ステップ１６３参照）。上述したように、このように促すことは、選択したデータのディスクへの書込みをディスクドライブが開始すると直ぐに、又はそれよりも前に、行ってもよい。
【００４１】
ユーザがラベルを作成したくない場合には（判断１６４参照）、ディスクにはデータを記録することができるが、ラベルは形成されない（ステップ１６６参照）。ユーザがラベルをデザインしたい場合には（判断１６４参照）、ソフトウェアは、ラベルのデザイン用のテンプレート又は自動生成した若しくは予め作成した一群のラベルを提供してもよい（ステップ１６５参照）。このテンプレート又はラベルは、ステップ１６２の照会に応答してディスクドライブが示すようなディスクのサイズ等のディスク識別パラメータに基づく。例えば、ユーザは、ディスクの真のサイズ，形状，及び色を表すテンプレートを与えられてもよい。例えば、ディスクのサイズは、１２ｃｍ又は８ｃｍ等の標準のサイズであってもよい。ディスクの形状は、円形又は何かその他の形状であってもよい。ユーザは、また、ディスク上に存在する既存のアートワークに合致する、テンプレート内のアートワークを与えられて、現存するテキスト又はグラフィックと重複することなく更なるテキスト又はグラフィックをユーザが付け加えることができるようになっていてもよい。ユーザには、媒体の機能に合致するカラーパレットが提供されてもよい。例えば、媒体がモノクロのブラック／ホワイトである場合には、ブラック／ホワイトのグレースケールのパレットが提供されてもよい。
【００４２】
次に、ソフトウェア１４１（図４参照）を用いてラベルをデザイン又は選択してもよい（ステップ１６７参照）。これは、ラベルのテキスト要素とグラフィック要素の両方の選択又は作成、及び、ディスク上に現れるときのそのような要素の配置を含んでもよい。ラベルをデザインするこのプロセスは、有利には、ディスクのデータ面へのデータ書込み中に開始することができる。
【００４３】
ラベルのデザイン後、ソフトウェアは、提案されたラベルの対象ディスク上における外観をユーザに表示する「プリントプレビュー」機能を提供してもよい（ステップ１６８参照）。このプリントプレビューは、ディスクの正確な形状及び寸法並びにディスクの背景とマーキングとの色を示してもよい。デザインしたラベルをこの段階で見ることによって、ユーザは、ラベルを実際にディスク上に形成する前に、いかなる所望の変更も行うことができる。
【００４４】
最後に、ディスクを裏返して、ラベル面をディスクドライブの光ピックアップに向ける。次に、このラベルがディスク上に形成される（ステップ１６９参照）。或いは、ディスクがプリント装置に挿入され、ラベルのデザインがプリントジョブとしてプリント装置に送られてディスク上にプリントされる（ステップ１６９参照）。
【００４５】
以上を要約すると次の通りである、すなわち、コンパクトディスク１００は、データ面１０１と、ラベル面１１０と、このラベル面１１０を表す媒体制御特徴１３０とを備える。媒体制御特徴１３０は、データ面１０１がコンパクトディスクドライブ１２０の光ピックアップ１２１に向いているときに、コンパクトディスクドライブ１２０によって読取り可能である。
【００４６】
前述の説明は、本発明の実施形態を単に例示し説明するためにのみ行った。これは、網羅的であること又は開示した何らかの厳密な形式に本発明を限定することを意図するものではない。上記教示に鑑みて、多くの変更及び変形が可能である。本発明の範囲は、添付の特許請求の範囲によって規定されるということが意図される。
【図面の簡単な説明】
【００４７】
【図１ａ】本明細書において説明する原理によるコンパクトディスクのデータ面を示す平面図である。
【図１ｂ】図１ａのコンパクトディスクのラベル面を示す平面図である。
【図２】図１ａ及び図１ｂのコンパクトディスクを、コンパクトディスクにデータを書き込む又はそこからデータを読み出すコンパクトディスクドライブと共に示す図である。
【図３】本明細書において説明する原理に従ってその上に制御特徴が設けられる、図１ａ及び図１ｂのコンパクトディスクの中心部の一部分を拡大して示す図である。
【図４】制御特徴を含む図３のコンパクトディスクを用いるよう構成されたコンピュータシステムを示す図である。
【図５】図２のドライブ又は図４のコンピュータシステムのコンパクトディスクドライブ（ＣＤドライブ）において、図３に示す制御特徴を有するコンパクトディスクを用いる一方法を説明するフローチャートである。
【図６】図３に示すコンパクトディスクの制御特徴を利用することができる図４のコンピュータシステム上で用いるソフトウェアを説明するフローチャートである。
【符号の説明】
【００４８】
１００  コンパクトディスク
１０１  データ面
１０２  カラー部
１０３  クランプ穴（中心穴）
１１０  ラベル面
１２０  コンパクトディスクドライブ
１２１  光ピックアップ
１２２  サンサ
１３０  媒体制御特徴
１４０  コンピュータシステム
１４１  ディスク書込み／ラベル付けソフトウェア
１４２  ユーザインターフェース
１４３  コンパクトディスクドライブ
１４４  プリンタ
【図１ａ】
2005196957.tif 000003
【図１ｂ】
2005196957.tif 000004
【図２】
2005196957.tif 000005
【図３】
2005196957.tif 000006
【図４】
2005196957.tif 000007
【図５】
2005196957.tif 000008
【図６】
2005196957.tif 000009